(57)【特許請求の範囲】
【請求項１】
枠体と、枠体に開閉自在に納めた戸体と、カバー材とを備え、枠体は、上枠と、下枠と、左右の縦枠とを四周枠組みしたものであり、上枠は、外周部と、内周部とを有し、外周部と内周部の間に、見込方向に貫通する換気経路を形成してあり、カバー材は、上枠の浴室側に着脱自在に設けてあり、開閉弁と、垂下片とを有しており、開閉弁は、換気経路を開閉し、浴室が負圧になると開くものであり、垂下片は、上下に延びており、換気経路の浴室側出口を下向きに形成していることを特徴とする戸。
【請求項２】
枠体と、枠体に開閉自在に納めた戸体と、カバー材とを備え、戸体は、上框と、下框と、左右の縦框とを四周框組みしてパネルを嵌め込んだものであり、上框は、外周部と、内周部とを有し、外周部と内周部の間に、見込方向に貫通する換気経路を形成してあり、カバー材は、上框の浴室側に着脱自在に設けてあり、開閉弁と、垂下片とを有しており、開閉弁は、換気経路を開閉し、浴室が負圧になると開くものであり、垂下片は、上下に延びており、換気経路の浴室側出口を下向きに形成していることを特徴とする戸。
【請求項３】
カバー材は、係合部と、左右端に設けた端部キャップとを有し、係合部が外周部又は内周部に設けた被係合部と係合し、端部キャップが換気経路の左右端部に設けた受部に係合することを特徴とする請求項１又は２記載の戸。
【請求項４】
外周部と内周部は、換気経路内に形成した連結部により一体となっており、連結部は通気口を有することを特徴とする請求項１、２又は３記載の戸。
【発明の詳細な説明】
【技術分野】
【０００１】
本発明は、換気経路を設けた戸に関する。
【背景技術】
【０００２】
浴室出入口用の戸には換気機能が求められるところ、特許文献１の発明のように、戸体を納めた枠体の上枠を上側の第一上枠と下側の第二上枠に分割して、その間に換気経路を形成し、第一上枠に弁を設けたものが公知である。
【先行技術文献】
【特許文献】
【０００３】
【特許文献１】特開２００８−２３１６６４号公報
【発明の概要】
【発明が解決しようとする課題】
【０００４】
しかしながら、特許文献１の発明においては、弁が建物に固定された第一上枠に取り付けられているので、着脱が容易ではなく、清掃や点検等が困難である。そして清掃が不十分であると、弁にゴミが付着し動きが悪くなって換気能力が低下したり、さらには弁が固着して換気不能となったりするおそれがある。
【０００５】
本発明は、上記事情を鑑みたものであり、換気経路を有し、換気経路に設けた弁の清掃点検が容易な戸を提供することを目的とする。
【課題を解決するための手段】
【０００６】
本発明のうち請求項１の発明は、枠体と、枠体に開閉自在に納めた戸体と、カバー材とを備え、枠体は、上枠と、下枠と、左右の縦枠とを四周枠組みしたものであり、上枠は、外周部と、内周部とを有し、外周部と内周部の間に、見込方向に貫通する換気経路を形成してあり、カバー材は、上枠の浴室側に着脱自在に設けてあり、開閉弁と、垂下片とを有しており、開閉弁は、換気経路を開閉し、浴室が負圧になると開くものであり、垂下片は、上下に延びており、換気経路の浴室側出口を下向きに形成していることを特徴とする。
【０００７】
本発明のうち請求項２の発明は、枠体と、枠体に開閉自在に納めた戸体と、カバー材とを備え、戸体は、上框と、下框と、左右の縦框とを四周框組みしてパネルを嵌め込んだものであり、上框は、外周部と、内周部とを有し、外周部と内周部の間に、見込方向に貫通する換気経路を形成してあり、カバー材は、上框の浴室側に着脱自在に設けてあり、開閉弁と、垂下片とを有しており、開閉弁は、換気経路を開閉し、浴室が負圧になると開くものであり、垂下片は、上下に延びており、換気経路の浴室側出口を下向きに形成していることを特徴とする。
【０００８】
本発明のうち請求項３の発明は、カバー材は、係合部と、左右端に設けた端部キャップとを有し、係合部が外周部又は内周部に設けた被係合部と係合し、端部キャップが換気経路の左右端部に設けた受部に係合することを特徴とする。
【０００９】
本発明のうち請求項４の発明は、外周部と内周部は、換気経路内に形成した連結部により一体となっており、連結部は通気口を有することを特徴とする。
【発明の効果】
【００１０】
本発明のうち請求項１及び請求項２の発明によれば、着脱自在なカバー材に開閉弁を設けてあり、開閉弁のカバー材への着脱も容易であるから、清掃や点検等の作業が容易である。
【００１１】
本発明のうち請求項３の発明によれば、カバー材の係合部を外周部又は内周部に係合させてから端部キャップを受部に係合させれば、安全且つ容易にカバー材を取り付けることができ、また逆の手順により、安全且つ容易にカバー材を取り外すことができる。
【００１２】
本発明のうち請求項４の発明によれば、外周部と内周部とが一体に形成されているので、剛性が高く、別部材による補強は不要である。
【図面の簡単な説明】
【００１３】
【図１】戸の第一実施形態の上枠の縦断面図である。
【図２】（ａ）はカバー材を取り外した状態の縦断面図、（ｂ）はカバー材を取り付けた状態のＡ−Ａ線断面図である。
【図３】端部キャップの斜視図である。
【図４】（ａ）はカバー材の左右方向中央部の縦断面図、（ｂ）は中央支持部品の斜視図、（ｃ）は中央受部品の斜視図である。
【図５】第一実施形態の浴室側正面図である。
【図６】戸の第二実施形態であり、（ａ）はカバー材を取り外した状態の縦断面図、（ｂ）は摘み部を押し上げてカバー材を取り付けた状態のＢ−Ｂ線断面図、（ｃ）は摘み部を押し下げた状態のＢ−Ｂ線断面図である。
【図７】戸の第三実施形態の上枠の縦断面図である。
【図８】第三実施形態の浴室側正面図である。
【図９】戸の第四実施形態の上框の縦断面図である。
【図１０】戸の第五実施形態の上框の縦断面図である。
【図１１】戸の第六実施形態の上框の縦断面図である。
【図１２】戸の第七実施形態の上框の縦断面図である。
【発明を実施するための形態】
【００１４】
以下、本発明の実施の形態を図面に基づいて説明する。本発明の戸の使用場所は特に限定されるものではないが、ここでは浴室と脱衣室を仕切るための浴室戸の場合を示す。この戸の第一実施形態は、図５に示すように、枠体１と、枠体１に引き違いに納めた二枚の戸体２とを備えるものであり、枠体１は、上枠４と、下枠５と、左右の縦枠６とを四周枠組みしたものである。なお、以下において上下左右とは、図５における上下左右を示す。
【００１５】
上枠４は、図１に示すように、外周部４１と、内周部４２とを有する。外周部４１の内周側面４１ａと内周部４２の外周側面４２ａとは平行で、浴室側に向けて傾斜しており、両面４１ａ，４２ａに挟まれた空間が、見込方向に貫通する換気経路Ｃとなっている。そして、上枠４の見込方向中央には、両面４１ａ，４２ａを連結する連結部４４が形成されており、これによって外周部４１と内周部４２とが一体となっている。連結部４４には見込方向に貫通する通気口４５が形成されており、換気が遮断されることはない。さらに、通気口４５にはその周縁部を覆う通気口カバー４６が取り付けてあり、清掃等の際に指等が周縁部のエッジに直接接触しないようにしてある。内周部４２の内周側にはレール部材４７が取り付けてあり、二枚の戸体２を引き違いに納めてある。
【００１６】
そして、上枠４の浴室側には、カバー材３が取り付けてある。カバー材３は、図２に示すように、上下に延びる垂下片３２と、垂下片３２の上端から脱衣室側へ延びる上側面３４と、上側面３４の脱衣室側端から浴室側下方へ向けて垂下片３２まで延びる補助面３５とを備え、補助面３５には開閉弁３１が設けてある。開閉弁３１は、断面円形の軸部３１ａと、軸部３１ａから延びる面部３１ｂとを有し、補助面３５の脱衣室側端に形成した軸受部３６に軸部３１ａが回動自在に嵌め込んである。また、上側面３４の見込方向両端には略Ｌ字形で脱衣室側に向けて延びる係合部３３が設けてある。さらに、カバー材３の左右両端には、端部キャップ７が取り付けてある。端部キャップ７は、図２及び図３に示すように、カバー材３の垂下片３２、上側面３４及び補助面３５により形成される略三角形の孔に挿入する挿入部７１と、垂下片３２の脱衣室側に位置し脱衣室側に向けて開口する切欠部７２とを有する。一方、外周部４１の浴室側端部には、二つの係合部３３に対応して、逆向きのＬ字形の被係合部４３が設けてあり、さらに、換気経路Ｃの左右端部に位置する左右の縦枠６の対向する両面には、受部８がネジ止めして取り付けてある。受部８は、略平板状の基部８１と、基部８１の下端に形成した突出部８２と、突出部８２に埋め込んだナット８３と、ナット８３にねじ込んだ取付ネジ８４からなる。
【００１７】
カバー材３を上枠４に取り付ける際には、二つの係合部３３をそれぞれ外周部４１の被係合部４３に係合させ、受部８の取付ネジ８４を端部キャップ７の切欠部７２に挿入して、取付ネジ８４を締め付ける。カバー材３を取り付けると、開閉弁３１の軸部３１ａが外周部４１側に位置し、面部３１ｂの先端が内周部４２の浴室側面に設けたタイト材４８に当接して換気経路Ｃを閉鎖する。そして、浴室が負圧になると、開閉弁３１が時計回りに回転して換気経路Ｃを開放する。この際、開閉弁３１は補助面３５と略平行となり、換気経路Ｃの屈曲部で空気が滞留しないようにガイドの役割を果たす。また、垂下片３２が換気経路Ｃの浴室側出口を下向きに形成しており、浴室内の人に風が直接当たらないようになっている。
【００１８】
なお、図４に示すように、カバー材３の補助面３５の左右方向中央部には中央支持部品９がネジ止めしてあり、内周部４２の浴室側面には中央支持部品９に対応する位置に中央受部品１０がネジ止めしてある。中央支持部品９は、下面に凹凸部９１が形成してあり、中央受部品１０は、上面に凹凸部１０１が形成してあって、両凹凸部９１，１０１が噛み合って固定されており、カバー材３の撓みや振動を抑えている。
【００１９】
このように構成した本発明の戸は、カバー材の係合部を上枠に係合させてから端部キャップを受部に係合させれば、安全且つ容易にカバー材を取り付けることができ、また逆の手順により、安全且つ容易にカバー材を取り外すことができる。また、端部キャップの切欠部が垂下片の脱衣室側に位置しており、カバー材を取り付けた状態において、切欠部に係合する取付ネジがカバー材に覆い隠されて浴室側から見えなくなるので、意匠性が良好である。そして、このカバー材に開閉弁が設けてあって、開閉弁のカバー材への着脱も容易であるから、清掃や点検等の作業が容易であり、換気機能を常に良好な状態に保つことができる。また、連結部により外周部と内周部とが一体に形成されているので、剛性が高く、別部材による補強は不要である。そして、特に連結部が上枠の見込方向の略中間位置に形成してあるので、ねじれの発生が抑えられてより剛性が高くなっており、また連結部の通気口が脱衣室側から見えにくく意匠性が良好である。
【００２０】
また、図６に示すのは、本発明の戸の第二実施形態であり、第一実施形態とは、端部キャップ７及び受部８の構造が異なる。端部キャップ７は、カバー材３の垂下片３２、上側面３４及び補助面３５により形成される略三角形の孔に挿入する挿入部７１と、垂下片３２の脱衣室側に位置し上下動可能な摘み部７３を備え、摘み部７３は略Ｌ字形で下向きに延びる爪部７４を有する。一方、外周部４１の浴室側端部には、二つの係合部３３に対応して、逆向きのＬ字形の被係合部４３が設けてあり、さらに、換気経路Ｃの左右端部に位置する左右の縦枠６の対向する両面には、受部８がネジ止めして取り付けてある。受部８は、略平板状の基部８１と、基部８１の下端に形成した上向きに開口する係合凹部８５を備える。カバー材３を上枠４に取り付ける際には、摘み部７３を押し上げた状態で（図６（ｂ））二つの係合部３３をそれぞれ外周部４１の被係合部４３に係合させ、その後摘み部７３を押し下げて（図６（ｃ））爪部７４を係合凹部８５に係合させる。なお、この摘み部７３を下向きに付勢する弾性部材を設けてもよい。
【００２１】
さらに、図７及び図８に示すのは、本発明の戸の第三実施形態である。第三実施形態は開き戸であり、枠体１と、枠体１に納めた一枚の戸体２とを備え、枠体１は、上枠４と、下枠５と、左右の縦枠６とを四周枠組みしたものである。二枚の戸体２を引き違いに納めた第一実施形態と比べて枠体１の見込方向長さが短いが、構成は同様であり、上枠４は、外周部４１と、内周部４２とを有し、その間が換気経路Ｃとなっている。そして、上枠４の見込方向中央には、連結部４４が形成されており、これによって外周部４１と内周部４２とが一体となっている。連結部４４には見込方向に貫通する通気口４５が形成されており、さらに通気口４５にはその周縁部を覆う通気口カバー４６が取り付けてある。そして、上枠４の浴室側には、カバー材３が取り付けてある。カバー材３の構成も第一実施形態と同じであり、垂下片３２と、開閉弁３１と、係合部３３とを備え、左右両端には端部キャップ（図示省略）が取り付けてあり、係合部３３を外周部４１の被係合部４３に係合させ、さらに端部キャップを受部（図示省略）に係合させてある。
【００２２】
また、図９に示すのは、本発明の戸の第四実施形態である。第四実施形態は、第一実施形態と同様の引き戸であり、枠体１と、枠体１に引き違いに納めた二枚の戸体２とを備えるものであるが、枠体１ではなく戸体２に換気経路Ｃを有する。各戸体２は、上框１０４と、下框と、左右の縦框とを四周框組みしてパネルＰを嵌め込んだものである。上框１０４は、外周部１４１と、内周部１４２とを有し、その間が換気経路Ｃとなっている。そして、換気経路Ｃ内には連結部１４４が形成されており、これによって外周部１４１と内周部１４２とが一体となっている。連結部１４４には見込方向に貫通する通気口１４５が形成されている。また、内周部１４２の浴室側には押縁１４９が取り付けてあり、内周部１４２と押縁１４９とでパネルＰを挟み込んでいる。さらに、上框１０４の浴室側にはカバー材１０３が取り付けてある。カバー材１０３は、上下に延びる垂下片１３２と、開閉弁１３１とを備え、上部には略Ｌ字形で脱衣室側に向けて延びる係合部１３３が設けてある。さらに、カバー材３の左右両端には、端部キャップ（図示省略）が取り付けてある。一方、外周部１４１の浴室側端部には、係合部１３３に対応して被係合部１４３が設けてあり、さらに、換気経路Ｃの左右端部に位置する左右の縦框の対向する両面には、受部（図示省略）が取り付けてある。カバー材１０３を上框１０４に取り付ける際には、係合部１３３を外周部１４１の被係合部１４３に係合させ、端部キャップを受部に係合させる。
【００２３】
さらに、図１０に示すのは、本発明の戸の第五実施形態である。第五実施形態は、第三実施形態と同様の開き戸であり、枠体１と、枠体１に納めた一枚の戸体２とを備えるものであるが、枠体１ではなく戸体２に換気経路Ｃを有する。戸体２は、上框１０４と、下框と、左右の縦框とを四周框組みしてパネルＰを嵌め込んだものである。戸体２の構成は第四実施形態と同じであり、上框１０４は、外周部１４１と、内周部１４２とを有し、その間が換気経路Ｃとなっている。そして、換気経路Ｃ内には連結部１４４が形成されており、これによって外周部１４１と内周部１４２とが一体となっている。連結部１４４には見込方向に貫通する通気口１４５が形成されている。さらに、上框１０４の浴室側にはカバー材１０３が取り付けてある。カバー材１０３の構成も第四実施形態と同じであり、垂下片１３２と、開閉弁１３１と、係合部１３３とを備え、左右両端には端部キャップ（図示省略）が取り付けてあり、係合部１３３を外周部１４１の被係合部１４３に係合させ、さらに端部キャップを左右の縦框の受部（図示省略）に係合させてある。
【００２４】
また、図１１に示すのは、本発明の戸の第六実施形態である。第六実施形態は、第四実施形態と同様に、引き戸であって戸体２に換気経路Ｃを有するものであるが、上框１０４の構成が異なる。各戸体２の上框１０４は、浴室側部材１０４ａと、脱衣室側部材１０４ｂからなり、両者でパネルＰを挟み込んでいる。浴室側部材１０４ａ及び脱衣室側部材１０４ｂには見込方向に貫通する窓部を形成して換気経路Ｃとしてある。ここで、窓部が通気口１４５、窓部の上側部分が外周部１４１、窓部の下側部分が内周部１４２、窓部の左右側部分が連結部１４４に相当するものとすれば、第六実施形態は第四実施形態と同一視できる。また、通気口１４５にはその周縁部を覆う通気口カバー１４６が取り付けてある。そして、上框１０４の浴室側には、カバー材１０３が取り付けてある。カバー材１０３は、上下に延びる垂下片１３２と、開閉弁１３１とを備え、上部には略Ｌ字形で脱衣室側に向けて延びる係合部１３３が設けてある。さらに、カバー材３の左右両端には、端部キャップ（図示省略）が取り付けてある。一方、浴室側部材１０４ａ（外周部１４１）の浴室側端部には、係合部１３３に対応して被係合部１４３が設けてあり、さらに、換気経路Ｃの左右端部に位置する左右の縦框の対向する両面には、受部（図示省略）が取り付けてある。カバー材１０３を上框１０４に取り付ける際には、係合部１３３を外周部１４１の被係合部１４３に係合させ、端部キャップを受部に係合させる。
【００２５】
さらに、図１２に示すのは、本発明の戸の第七実施形態である。第七実施形態は、第五実施形態と同様に、開き戸であって戸体２に換気経路Ｃを有するものであるが、上框１０４の構成が異なる。戸体２の上框１０４は、第六実施形態と同じであり、浴室側部材１０４ａと、脱衣室側部材１０４ｂからなり、両者でパネルＰを挟み込んでいる。浴室側部材１０４ａ及び脱衣室側部材１０４ｂには見込方向に貫通する窓部を形成して換気経路Ｃとしてある。ここで、窓部が通気口１４５、窓部の上側部分が外周部１４１、窓部の下側部分が内周部１４２、窓部の左右側部分が連結部１４４に相当するものとすれば、第七実施形態は第五実施形態と同一視できる。また、通気口１４５にはその周縁部を覆う通気口カバー１４６が取り付けてある。そして、上框１０４の浴室側には、カバー材１０３が取り付けてある。カバー材１０３の構成も第五実施形態と同じであり、垂下片１３２と、開閉弁１３１と、係合部１３３とを備え、左右両端には端部キャップ（図示省略）が取り付けてあり、係合部１３３を浴室側部材１０４ａ（外周部１４１）の被係合部１４３に係合させ、さらに端部キャップを左右の縦框の受部（図示省略）に係合させてある。
【００２６】
本発明は、上記の実施形態に限定されない。例えば、連結部は一つに限られず、複数設けてより剛性を高くしてもよい。また、係合部と被係合部の形状や、端部キャップと受部の固定方法は、カバー材を上枠や上框に安全且つ容易に取り付けることができるものであれば、どのようなものであってもよい。さらに、受部は上枠や上框に別部材を取り付けるものであってもよいし、上枠や上框と一体に形成したものであってもよい。また、戸の種類は引き違い戸や開き戸のみに限られず、枠体に戸体を納める構成を備えたあらゆる戸に適用できる。
【符号の説明】
【００２７】
１  枠体
２  戸体
３，１０３  カバー材
４  上枠
５  下枠
６  縦枠
７  端部キャップ
８  受部
３１，１３１  開閉弁
３２，１３２  垂下片
３３，１３３  係合部
４１，１４１  外周部
４２，１４２  内周部
４３，１４３  被係合部
４４，１４４  連結部
４５，１４５  通気口
１０４  上框
Ｃ  換気経路
Ｐ  パネル
【図１】
0005443253.tif 000002
【図２】
0005443253.tif 000003
【図３】
0005443253.tif 000004
【図４】
0005443253.tif 000005
【図５】
0005443253.tif 000006
【図６】
0005443253.tif 000007
【図７】
0005443253.tif 000008
【図８】
0005443253.tif 000009
【図９】
0005443253.tif 000010
【図１０】
0005443253.tif 000011
【図１１】
0005443253.tif 000012
【図１２】
0005443253.tif 000013